(57)【要約】      （修正有）【課題】良好なフィット感と装飾性とを兼ね備えたニット製の衣類用口部材を提供すること。【解決手段】衣類用口部材は、衣類の袖口、襟口または裾口を含み、ニット製の衣類用袖部材１０は、縦長さがＨ、横長さがＷの矩形の経編地１の両側辺同士が縫い合わされて筒体３とされ、筒体３の長さ方向中央部で内外へ折り返された２重筒体１１を有し、２重筒体１１のうちの少なくとも外側を構成する外筒体１２の正面側の経編地１に、糸止め２を施すことにより形成された立体的な特定模様が設けられている。【選択図】図３
0003210162.tif 000002
【実用新案登録請求の範囲】
【請求項１】
縦長さがＨ、横長さがＷの矩形の経編地の両側辺同士が縫い合わされて筒体とされ、当該筒体の長さ方向中央部で内外へ折り返された２重筒体を有し、
前記２重筒体のうちの少なくとも外側を構成する外筒体の前記経編地に、糸止めを施すことにより形成された立体的な特定模様が設けられていることを特徴とする、ニット製の衣類用口部材。
【請求項２】
前記特定模様は、
前記外筒体の経編地の内面側において、横方向に一定間隔をあけて２ヶ所が糸で止められた糸止めが設けられ、その糸止めが、縦方向および横方向に一定の規則性で互い違いに配置されており、それによって、前記外筒体の少なくとも正面側の表面に表われた斜め格子状の凹凸模様を含むことを特徴とする、請求項１に記載のニット製の衣類用口部材。
【請求項３】
前記衣類用口部材は、衣類の袖口、襟口または裾口を含むことを特徴とする、請求項２に記載のニット製の衣類用口部材。
【請求項４】
前記特定模様は、
前記２重筒体の折り返された側の端縁の１点と、筒体の長さ方向に見て、折り返された側と反対側の端縁の１点とが糸止めされており、それによって、前記２重筒体に形成された折り重ね模様を含むことを特徴とする、請求項１に記載のニット製の衣類用口部材。
【請求項５】
前記特定模様は、
前記筒体の上下両端縁沿いに形成された複数のタック列を含み、
上縁沿いのタック列と下縁沿いのタック列とは、前記筒体の周方向に位置をずらして形成されており、
前記２重筒体において、筒体の長さ方向に見て、折り返された側と反対側の端縁を起点として、前記２つのタック列により生じている湾曲してうねる起伏模様を含むことを特徴とする、請求項１に記載のニット製の衣類用口部材。
【請求項６】
前記矩形の経編地には、その裏面側（２重筒体とされたときに、内面になる側）に、前記矩形の左端から右端まで、横方向に延びるスパンデックスが、縦方向に所定の間隔をあけて、１本ないし複数本配置されていることを特徴とする、請求項１〜５のいずれか一項に記載のニット製の衣類用口部材。
【考案の詳細な説明】
【技術分野】
【０００１】
この考案は、ニット製の衣類用口部材に関し、特にニット製の袖口（部材）、襟口（部材）、裾口（部材）に関する。
【背景技術】
【０００２】
従来より、衣類用の口部材は種々存在する。
例えば、特許文献１には、ニット製の袖口３５や足首絞り部３０７を備えた衣類（図２および図５を参照）が紹介されている。
特許文献２には、デザイン性を向上させるようにした袖口を備えた寝衣が提案されている。この寝衣は２重袖構造の内袖に伸縮性ニット生地からなる絞り部４を有している。
【０００３】
特許文献３には、衿、袖口、裾周り等に、伸縮するゴム編み（リブ編み）部分を有する衣料が提案されている。この衣料では、伸縮するゴム編み地に、染料捺染による模様や絵柄がプリントされている。
特許文献４には、筒状の胴部分に、ゴム等の弾性材を複数本装着させ、布帛の切替えに伴う異色の色彩や図柄模様を出現させた腕カバーが提案されている。
【先行技術文献】
【特許文献】
【０００４】
【特許文献１】特開２０１４−１６７１８９号公報
【特許文献２】実用新案登録第３１８４３０９号公報
【特許文献３】特開２００８−２１４８２９号公報
【特許文献４】特開平９−１４３８０７号公報
【考案の概要】
【考案が解決しようとする課題】
【０００５】
上記従来の衣類用の口部材は、いずれも、口部材としての装飾性の点において改善の余地が多い。
この考案は、従来の構成の課題を解決し、良好なフィット感と装飾性とを兼ね備えた口部材を提供することを目的とする。
【課題を解決するための手段】
【０００６】
この考案は、上記目的を達成するために、請求項１に係る考案は、縦長さがＨ、横長さがＷの矩形の経編地の両側辺同士が縫い合わされて筒体とされ、当該筒体の長さ方向中央部で内外へ折り返された２重筒体を有し、前記２重筒体のうちの少なくとも外側を構成する外筒体の前記経編地に、糸止めを施すことにより形成された立体的な特定模様が設けられていることを特徴とする、ニット製の衣類用口部材である。
【０００７】
請求項２に係る考案は、前記特定模様は、前記外筒体の経編地の内面側において、横方向に一定間隔をあけて２ヶ所が糸で止められた糸止めが設けられ、その糸止めが、縦方向および横方向に一定の規則性で互い違いに配置されており、それによって、前記外筒体の少なくとも正面側の表面に表われた斜め格子状の凹凸模様を含むことを特徴とする、請求項１に記載のニット製の衣類用口部材である。
【０００８】
請求項３に係る考案は、前記衣類用口部材は、衣類の袖口、襟口または裾口を含むことを特徴とする、請求項２に記載のニット製の衣類用口部材である。
請求項４に係る考案は、前記特定模様は、前記２重筒体の折り返された側の端縁の１点と、筒体の長さ方向に見て、折り返された側と反対側の端縁の１点とが糸止めされており、それによって、前記２重筒体に形成された折り重ね模様を含むことを特徴とする、請求項１に記載のニット製の衣類用口部材である。
【０００９】
請求項５に係る考案は、前記特定模様は、前記筒体の上下両端縁沿いに形成された複数のタック列を含み、上縁沿いのタック列と下縁沿いのタック列とは、前記筒体の周方向に位置をずらして形成されており、前記２重筒体において、筒体の長さ方向に見て、折り返された側と反対側の端縁を起点として、前記２つのタック列により生じている湾曲してうねる起伏模様を含むことを特徴とする、請求項１に記載のニット製の衣類用口部材である。
【００１０】
請求項６に係る考案は、前記矩形の経編地には、その裏面側（２重筒体とされたときに、内面になる側）に、前記矩形の左端から右端まで、横方向に延びるスパンデックスが、縦方向に所定の間隔をあけて、１本ないし複数本配置されていることを特徴とする、請求項１〜５のいずれか一項に記載のニット製の衣類用口部材である。
【考案の効果】
【００１１】
この考案の衣類用口部材は、２重筒体により構成されていて、２重筒体は筒体の長さ方向（軸方向）に糸が編まれた経編地で作られている。このため、生産性が良く、生地を横方向に必要なサイズにカットできるため、筒体の直径（サイズ）を必要なサイズとすることができ、袖口、襟口、裾口等に広く利用できる。
また、経編地の両側辺同士を縫い合わせて筒体とする際に、まっすぐな縫い合わせ（ラインがまっすぐになる縫い合わせ）ができ、見映えの良い口部材に仕上がる。
【００１２】
口部材に施した特定模様は、糸止めにより形成された立体的な模様であり、口部材のフィット感を損ねることなく、装飾性の豊かな美しい口部材を作ることができる。
【図面の簡単な説明】
【００１３】
【図１】図１は、この考案の第１の実施形態に係るスモッキング袖口を正面側から見た図である。
【図２】図２は、この考案の第１の実施形態に係るスモッキング袖口を背面側から見た図である。
【図３】図３は、この考案の第１の実施形態に係るスモッキング袖口の縫製の仕方を説明するための工程図である。
【図４】図４は、この考案の第１の実施形態に係るスモッキング袖口の使用状態を示す図である。
【図５】図５は、この考案の第１の実施形態に係るスモッキング袖口ならびにスモッキング襟口およびスモッキング裾口が取り付けられた衣類の例を示す図である。
【図６】図６は、この考案の第２の実施形態に係る折り紙袖口を正面側から見た図である。
【図７】図７は、この考案の第２の実施形態に係る折り紙袖口を背面側から見た図である。
【図８】図８は、この考案の第２の実施形態に係る折り紙袖口の縫製の仕方を説明するための工程図である。
【図９】図９は、この考案の第２の実施形態に係る折り紙袖口の使用状態を示す図である。
【図１０】図１０は、この考案の第２の実施形態に係る折り紙襟口が取り付けられた衣類の例を示す図である。
【図１１】図１１は、この考案の第２の実施形態に係る折り紙裾口が取り付けられたパンツの例を示す図である。
【図１２】図１２は、この考案の第３の実施形態に係るバルーン袖口を正面側から見た図である。
【図１３】図１３は、この考案の第３の実施形態に係るバルーン袖口を背面側から見た図である。
【図１４】図１４は、この考案の第３の実施形態に係るバルーン袖口の縫製の仕方を説明するための工程図である。
【図１５】図１５は、この考案の第３の実施形態に係るバルーン袖口の使用状態を示す図である。
【考案を実施するための形態】
【００１４】
以下、この考案の第１の実施形態を図１〜図５に基づいて説明する。
図１は、この考案の第１の実施形態に係るスモッキング袖口１０を正面側から見た図であり、図２は、スモッキング袖口１０を背面側から見た図である。
スモッキング袖口１０は、経編で形成されたニット製の２重筒体１１を有し、２重筒体１１の外筒体１２には、正面側において、その表面に表われる斜め格子状の凹凸模様１３が設けられている。
【００１５】
図３（Ａ）〜（Ｃ）に基づいて、スモッキング袖口１０の縫製の仕方について説明をする。
図３（Ａ）に示すように、縦長さがＨ、横長さがＷの矩形の経編地１（ループがタテ方向に連続して編み上げられている経編地）を用意し、経編地１の下半分の領域に、左右両端部を除き、横方向に一定間隔をあけて２ヶ所に糸止め２を施し、この糸止め２を、縦方向および横方向に一定の規則性で互い違いに複数個（図示では１２個）設ける。
【００１６】
糸止め２を施した面を内側にして、左右両側辺同士を合わせ、合わせた左右両側辺同士を縫い合わせて筒体３を作成する（図３（Ｂ））。
なお、経編地１には、その裏面側に、横方向に延びるスパンデックス１４が、たとえば、上下方向の中央位置（折り返される位置）に配置されていてもよい。また、横方向に延びるスパンデックス１４は、経編地１の裏面に、縦方向に所定の間隔をあけて複数本配置されていてもよい。スパンデックス１４を設けることで、筒体３の径方向の収縮性が向上する。
【００１７】
そして、筒体３の下半分を内外へ折り返し、筒体３の長さ方向（上下方向）中央部で折り返された２重筒体１１が出来上る（図３（Ｃ））。２重筒体１１は、その外筒体１２に、糸止め２によって形成された斜め格子状の凹凸模様１３が設けられている。そして、筒体３の上下端縁の各Ａ，Ｂ，Ｃ点同士（図３（Ａ）を参照）を合わせ、縫合して、スモッキング袖口１０が完成する。
【００１８】
図４は、スモッキング袖口１０の使用状態を示す図である。図４において、１５は、衣類の袖であり、袖１５の先端にスモッキング袖口１０が縫合されている。スモッキング袖口１０は、その表面に形成された斜め格子状の凹凸模様１３により、エレガントな袖口１０となっている。
図５は、スモッキング口部材を適用した衣類の別の例を示す。図５の例では、袖にスモッキング袖口１０が縫合され、襟部にスモッキング襟口１７が縫合され、裾部にスモッキング裾口１８が縫合された衣類１６が示されている。この例から理解できるように、スモッキング口部材（袖口１０、襟口１７、裾口１８）は、その幅や直径を変えることにより、袖口１０のみならず、襟口１７や裾口１８としても利用することができる。
【００１９】
次に、図６〜図１１に基づいて、この考案の第２の実施形態を説明する。
図６は、この考案の第２の実施形態に係る折り紙袖口２０を正面側から見た図であり、図７は、折り紙袖口２０を背面側から見た図である。
折り紙袖口２０は、経編で形成されたニット製の２重筒体２１を有し、２重筒体２１の折り返された側２１Ｌの端縁の１点と、筒体の長さ方向に見て、折り返された側２１Ｌと反対側２１Ｕの端縁の１点とに糸止め２２が施されている。そして、それによって、２重筒体２１に折り重ね模様（折り紙様の立体模様）２３が形成されたものである。
【００２０】
図８（Ａ）〜（Ｃ）に基づいて、折り紙袖口２０の縫製の仕方について説明する。
図８（Ａ）に示すように、矩形の経編地１の左右両側辺同士を縫い合わせて筒体３を作る。
そして、筒体３の下半分を内外へ折り返し、筒体３の長さ方向（上下方向）中央部で折り返された２重筒体２１が出来上る（図８（Ｂ））。２重筒体２１の折り返された側２１Ｌ（下側）の筒縫いされた位置と１８０度離れた位置にあるＡ点と、筒体の長さ方向に見て、折り返された側２１Ｌと反対側の端縁２１Ｕであって、筒縫いされた部分と１８０度離れた位置にあるＢ点とを、糸止め２２により縫合する（図８（Ｂ）および（Ｃ）を参照）。
【００２１】
これにより、２重筒体２１の正面側に、折り紙様の折り重ね立体模様２３が形成され、折り紙袖口２０が完成する。
図９は、折り紙袖口２０の使用状態を示す図である。図９において、２５は、衣類の袖であり、袖２５の先端に折り紙袖口２０が縫合されている。折り紙袖口２０は、折り重ね立体模様２３部分が少し内側に入るため、この部分に腕時計やスマートウォッチを位置させれば、見る際に袖をめくらずに見ることができるといった利点もある。
【００２２】
図１０は、折り紙袖口を折り紙襟口２０Ｎとして適用した例を示す図である。襟口２０Ｎでは、折り紙様の立体模様により、顎の上下運動の邪魔にならないという利点がある。図１１は、折り紙袖口をズボン用折り紙裾口２０Ｐとして適用した例を示す。このように、折り紙部材は、袖口２０のみならず、襟口２０Ｎや裾口２０Ｐとして用いることもできる。
【００２３】
図１２〜図１５に基づいて、この考案の第３の実施形態を説明する。
図１２は、この考案の第３の実施形態に係るバルーン袖口３０を正面側から見た図であり、図１３は、バルーン袖口３０を背面側から見た図である。
バルーン袖口３０は、経編で形成されたニット製の２重筒体３１を有し、２重筒体３１の外筒体３２の端縁３２Ｅおよび内筒体３３の端縁３３Ｅに沿って、それぞれ、タック３４の列が形成されている。タック３４の列は、外筒体３２と内筒体３３とで、同方向にずれるように２重筒体３１が折り返されている。
【００２４】
これにより、バルーン袖口３０は、縫着部がすぼまり、先端部側に向ってバルーン状に膨らんだ袖口３０となっていて、優雅さを醸し出す袖口３０となっている。
図１４（Ａ）〜（Ｃ）に基づいて、バルーン袖口３０の縫製の仕方について説明する。
図１４（Ａ）に示すように、縦長さがＨ、横長さがＷの矩形の経編地１を用意し、経編地の上辺１Ｕおよび下辺１Ｌに沿って、それぞれ、一方方向に向かう複数のタック３４の列が作られている。上辺１Ｕ沿いのタック３４の列と下辺１Ｌ沿いのタック３４の列とは、上下に位置がずらされている（図１４（Ａ））。そして、図１４（Ａ）における上辺１ＵのＡ点と下辺１ＬのＡ点とが合うように、経編地１をねじれさせ、図１４（Ｂ）に示すように両側辺同士を縫い合わせて筒体３を作る。そして、筒体３を、筒体の長さ方向中央部を中心に内外へ折り返し２重筒体３１を形成する。これによりバルーン袖口３０が完成する（図１４（Ｃ））。
【００２５】
図１５は、バルーン袖口３０の使用状態を示す図である。図１５において、３６は衣類の袖であり、袖３６の先端にバルーン袖口３０が縫合されている。なお、バルーン袖口３０を袖３６の先端外側に縫合する場合、飾りテープ３７が止め口に設けられていてもよい。
この考案は、以上の説明した実施形態に限定されるものではなく、請求項記載の範囲内において種々の変更が可能である
【符号の説明】
【００２６】
１    経編地
２，２２    糸止め
３    筒体
１０    スモッキング袖口
１１，２１，３１    ２重筒体
１２，３２    外筒体
１３    凹凸模様
１４    スパンデックス
１７    スモッキング襟口
１８    スモッキング裾口
２０    折り紙袖口
２０Ｎ    折り紙襟口
２０Ｐ    折り紙裾口
２３    折り紙様の立体模様
３０    バルーン袖口
３３    内筒体
３４    タック
３７    飾りテープ
【図１】
0003210162.tif 000003
【図２】
0003210162.tif 000004
【図３】
0003210162.tif 000005
【図４】
0003210162.tif 000006
【図５】
0003210162.tif 000007
【図６】
0003210162.tif 000008
【図７】
0003210162.tif 000009
【図８】
0003210162.tif 000010
【図９】
0003210162.tif 000011
【図１０】
0003210162.tif 000012
【図１１】
0003210162.tif 000013
【図１２】
0003210162.tif 000014
【図１３】
0003210162.tif 000015
【図１４】
0003210162.tif 000016
【図１５】
0003210162.tif 000017